(57)【要約】【課題】集塵部を掃除機本体から取り外したときの集塵部からの塵埃こぼれを防止するとともに、集塵性能を向上させた電気掃除機を提供することを目的とする。【解決手段】吸引風を発する電動送風機１１と前記電動送風機１１の吸気口と連通する集塵部１２とを有する掃除機本体１０において、前記集塵部１２は前記掃除機本体１０と着脱自在に構成され、かつ前記集塵部１２の外郭の少なくとも上方が前記掃除機本体１０の外郭を形成するとともに、前記掃除機本体１０の外郭を形成する集塵部１２の外郭の略上方に吸引風が流入する吸気部２４を設けたものである。【選択図】  図３
2004248896.tif 000002
【特許請求の範囲】
【請求項１】
吸引風を発する電動送風機と前記電動送風機の吸気口と連通する集塵部とを有する掃除機本体において、前記集塵部は前記掃除機本体と着脱自在に構成され、かつ前記集塵部の外郭の少なくとも上方が前記掃除機本体の外郭を形成するとともに、前記掃除機本体の外郭を形成する集塵部の外郭の略上方に吸引風が流入する吸気部を設けた電気掃除機。
【請求項２】
集塵部は塵埃を捕集する略円錐形状のフィルター部を有するとともに、前記集塵部に流入する塵埃を含む吸引風が、前記集塵部の内壁面に沿って旋回することで、前記塵埃と前記吸引風とを分離する遠心分離方式である請求項１記載の電気掃除機。
【請求項３】
集塵部は略円錐形状であるとともに、吸気部を前記集塵部の先端部近傍に設けた請求項１または２記載の電気掃除機。
【請求項４】
フィルター部に向かって吸引風が流入するように、吸気部を集塵部の長手方向の中心軸に対して斜め上方に設けた請求項２または３記載の電気掃除機。
【請求項５】
吸引風下流側の吸気部の開口部を、集塵部の高さ方向の中心軸より高い位置に設けた請求項１〜４のいずれか１項に記載の電気掃除機。
【請求項６】
集塵部内に流入する吸引風が、フィルター部に向かって流れるように、開口部に案内部を設けた請求項４または５記載の電気掃除機。
【請求項７】
フィルター部は、先端に開口を有し粗い塵埃を捕集するプレフィルターと細塵捕集用のメインフィルターとから構成されるとともに、前記プレフィルターの開口は、集塵部の壁面により閉塞されてなる請求項２〜６のいずれか１項に記載の電気掃除機。
【請求項８】
プレフィルターの開口は、シール体を介して集塵部の壁面により閉塞されてなる請求項７記載の電気掃除機。
【請求項９】
塵埃が通過するホースと前記ホースを集塵部の吸気部に接続する略Ｌ字状の接続パイプとを備え、前記接続パイプは、前記吸気部に対して着脱かつ回動自在に構成された請求項１〜８のいずれか１項に記載の電気掃除機。
【請求項１０】
吸引風を発する電動送風機と前記電動送風機の吸気口と連通する集塵部を有する掃除機本体において、前記集塵部と前記電動送風機との間で前記掃除機本体の下面外郭に本体持ち運び用の凹部を形成した電気掃除機。
【請求項１１】
凹部に対して隙間ノズル等の付属品が着脱自在である請求項１０記載の電気掃除機。
【請求項１２】
凹部に隙間ノズル等の付属品を係止させた時、前記隙間ノズル等の付属品の外郭が、掃除機本体の下面外郭の最下部と同一位置に位置するかまたはそれより内方に位置させる構成とした請求項１０または１１記載の電気掃除機。
【発明の詳細な説明】
【０００１】
【発明の属する技術分野】
本発明は、一般家庭で使用される電気掃除機に関するものである。
【０００２】
【従来の技術】
従来のこの種の電気掃除機は図１４に記載されているようなものが一般的であった。この電気掃除機を図１４を用いて説明する。
【０００３】
図１４において、１は塵埃を吸引するための吸引風を発する電動送風機２を内蔵した掃除機本体であり、３は微細な塵埃捕集用のメインフィルター４とメインフィルター４に回転自在に取付けられた、粗い塵埃を捕集するためのプレフィルター５と、前記掃除機本体１間を密閉するパッキン６を内部に有し、前方に塵埃を取込む吸気口７を備えた集塵部であり、前記掃除機本体１と着脱自在に構成されている。
【０００４】
そして、上記電気掃除機を運転すると、吸込具より吸引された塵埃が前記吸気口７を通って前記集塵部３内部に入る。すると、塵埃はまず前記プレフィルター５に吸着し粗い塵埃はここで捕集される。微細な塵埃は前記プレフィルター５を抜けてその奥にある前記メインフィルター４により捕集される。これらの過程を繰り返すことにより塵埃は前記集塵部３内部に蓄積される。
【０００５】
集塵部３内部に蓄積された塵埃は、前記プレフィルター５及び前記メインフィルター４を、前記集塵部３より外すことにより外部に捨てることができる（例えば、特許文献１参照）。
【０００６】
【特許文献１】
特開昭５７−６４０２７号公報
【０００７】
【発明が解決しようとする課題】
しかしながら上記従来の構成では、掃除機本体１から、集塵部３を取り外し、塵埃を外部に捨てる際、吸気口７が集塵部３の前方にあるため、塵埃がこぼれ易いという問題があった。また、吸引された塵埃は前記吸気口７を通ってすぐに前記プレフィルター５に蓄積されるため、通気面積がすぐに減少し結果的に吸込み力の低下へと至るという問題点もあった。
【０００８】
本発明は、上記課題を解決するもので、集塵部を掃除機本体から取り外したときの集塵部からの塵埃こぼれを防止するとともに、集塵性能を向上させた電気掃除機を提供することを目的とする。
【０００９】
【課題を解決するための手段】
上記課題を課題を解決するために本発明は、吸引風を発する電動送風機と前記電動送風機の吸気口と連通する集塵部とを有する掃除機本体において、前記集塵部は前記掃除機本体と着脱自在に構成され、かつ前記集塵部の外郭の少なくとも上方が前記掃除機本体の外郭を形成するとともに、前記掃除機本体の外郭を形成する集塵部の外郭の略上方に吸引風が流入する吸気部を設けたもので、集塵部を掃除機本体から取り外し、塵埃を外部に捨てる際、吸気部が集塵部の略上方に設けられているため、塵埃は集塵部よりこぼれなくなり、また、吸気部を集塵部内に大きく突出させる必要がないため、集塵部内の集塵容積を増加させ集塵性能を向上させることができる。
【００１０】
【発明の実施の形態】
本発明の請求項１記載の発明は、吸引風を発する電動送風機と前記電動送風機の吸気口と連通する集塵部とを有する掃除機本体において、前記集塵部は前記掃除機本体と着脱自在に構成され、かつ前記集塵部の外郭の少なくとも上方が前記掃除機本体の外郭を形成するとともに、前記掃除機本体の外郭を形成する集塵部の外郭の略上方に吸引風が流入する吸気部を設けたもので、集塵部を掃除機本体から取り外し、塵埃を外部に捨てる際、吸気部が集塵部の略上方に設けられているため、塵埃は集塵部よりこぼれなくなり、また、吸気部を集塵部内に大きく突出させる必要がないため、集塵部内の集塵容積を増加させ集塵性能を向上させることができる。
【００１１】
本発明の請求項２記載の発明は、集塵部は塵埃を捕集する略円錐形状のフィルター部を有するとともに、前記集塵部に流入する塵埃を含む吸引風が、前記集塵部の内壁面に沿って旋回することで、前記塵埃と前記吸引風とを分離する遠心分離方式であるもので、上記方式では、集塵部内に捕集した塵埃を蓄積する構成のため、上記請求項１で述べた効果がより発揮できる。
【００１２】
本発明の請求項３記載の発明は、集塵部は略円錐形状であるとともに、吸気部を前記集塵部の先端部近傍に設けたもので、吸引された塵埃は前記集塵部の内壁面に沿って回転するが、吸気部を集塵部の内壁面どうしの距離が小さい集塵部の先端部近傍に設けたため、旋回流が生じやすく、塵埃分離性能が向上する。
【００１３】
本発明の請求項４記載の発明は、フィルター部に向かって吸引風が流入するように、吸気部を集塵部の長手方向の中心軸に対して斜め上方に設けたもので、吸引風は、電動送風機の吸引力により、集塵部の長手方向の中心軸に対して斜め上方から集塵部内に流入し、前記集塵部の内壁に沿い前記電動送風機の吸気口側に向かう旋回気流となる。このため、塵埃はこの回転気流に乗って前記集塵部内壁面を回転しながら前記電動送風機の吸気口側へ吸引される。この原理により、吸引された塵埃は前記集塵部の内壁面に沿って回転するため、その内側に位置する略円錐形状のフィルター部への塵埃の付着を抑えることができ、吸込み力の低下を抑制できる。また、塵埃は、吸気部より集塵部内壁面に沿って電動送風機の吸気側に向かい、前記電動送風機の吸引方向に蓄積されて、電動送風機の吸引力により塵埃の圧縮を行ない集塵量を増加させることができる。
【００１４】
本発明の請求項５記載の発明は、吸引風下流側の吸気部の開口部を、集塵部の高さ方向の中心軸より高い位置に設けたもので、簡単な構成で、吸気部を大きくすることなく、塵埃廃棄時、吸気部から塵埃のもれを防止できる。
【００１５】
本発明の請求項６記載の発明は、集塵部内に流入する吸引風が、フィルター部に向かって流れるように、開口部に案内部を設けたもので、吸気部から集塵部の内壁面に沿い電動送風機側に向かう旋回気流を増大させ、集塵部内部の略円錐形状部を有する塵埃捕集用のフィルター部への塵埃の付着をより抑え、吸込み力の低下を防止する。
【００１６】
本発明の請求項７記載の発明は、フィルター部は、先端に開口を有し粗い塵埃を捕集するプレフィルターと細塵捕集用のメインフィルターとから構成されるとともに、前記プレフィルターの開口は、集塵部の壁面により閉塞されてなるもので、フィルター部をはずしただけで前記プレフィルターの開口より、メインフィルターに付着した塵埃を落とせるとともに、掃除機運転時には、プレフィルターの開口を通過して、塵埃がメインフィルターに付着することを部品点数を増やすことなく防止できるため、結果的にメインフィルターの塵埃詰まりを抑制し、集塵性能を向上させる。
【００１７】
本発明の請求項８記載の発明は、プレフィルターの開口は、シール体を介して集塵部の壁面により閉塞されてなるもので、掃除機運転時には、プレフィルターの開口を通過して、塵埃がメインフィルターに付着することを確実に防止できるため、結果的にメインフィルターの塵埃詰まりを抑制し、集塵性能を向上させる。
【００１８】
本発明の請求項９記載の発明は、塵埃が通過するホースと前記ホースを集塵部の吸気部に接続する略Ｌ字状の接続パイプとを備え、前記接続パイプは、前記吸気部に対して着脱かつ回動自在に構成されたもので、掃除機本体の構成は変わらず余計な部品を追加して掃除機本体の形状を複雑にしホース差込口を形成することなく、廉価構成で接続パイプとの接続が可能となり、直接ホースと集塵部が連通し、吸気部内での通路圧損がなくなり、性能低下を抑制する。また、ホースの一端と連通する接続パイプを回動させることより、ホース及び接続パイプを通る吸引風が左右等に偏って発生する。この原理により、前記接続パイプを回動させることより、集塵部の塵埃捕集用のプレフィルターには、さまざまな方向から吸引風が当たりプレフィルターの表面に蓄積された塵埃を吹飛ばし、プレフィルターへの塵埃の付着を抑えることができ、吸込み力の低下を抑制する。
【００１９】
本発明の請求項１０記載の発明は、吸引風を発する電動送風機と前記電動送風機の吸気口と連通する集塵部を有する掃除機本体において、前記集塵部と前記電動送風機との間で前記掃除機本体の下面外郭に本体持ち運び用の凹部を形成した電気掃除機で、掃除機本体の外形寸法を大きくせず、掃除機本体の無駄なスペースを活用し、本体持ち運び用の取っ手部を構成し使用性の向上が図れる。
【００２０】
本発明の請求項１１記載の発明は、凹部に対して隙間ノズル等の付属品が着脱自在であるもので、掃除機本体に隙間ノズル等の付属品を収納させる無駄なスペースを形成することなく、前記凹部を有効活用し、外観に違和感なく、前記隙間ノズル等の付属品を収納させることができる。
【００２１】
本発明の請求項１２記載の発明は、凹部に隙間ノズル等の付属品を係止させた時、前記隙間ノズル等の付属品の外郭が、掃除機本体の下面外郭の最下部と同一位置に位置するかまたはそれより内方に位置させる構成としたもので、前記隙間ノズル等が掃除機本体底部から突出せず、掃除機本体の走行中に前記隙間ノズル等が床面の凹凸に当たり傷付けたり、外れたりすることを抑制し、また、外観を損なわせることがなくなる。
【００２２】
【実施例】
（実施例１）
以下、本発明の第１の実施例について、図１〜図８を用いて説明する。
【００２３】
図１は掃除機本体の上面図であり、図２は掃除機本体の側面図であり、図３は掃除機本体の側断面図である。図４は集塵部の吸気部の部分拡大図であり、図５は吸気部の局部断面図である。図６は掃除機本体から集塵部を取り外した時の動作図で、図７はフィルター部の部分断面図である。図８は集塵部の側断面図である。
【００２４】
図３において、掃除機本体１０の後方には、塵埃を吸引するための吸引風を発する電動送風機１１を内蔵し、前記電動送風機１１の吸気口１１ａと連通し、吸引した塵埃を捕集する略円錐形状の集塵部１２が設けられている。
【００２５】
図６、図７において、集塵部１２の後方上部に凹み部１３が形成されており、この凹み部１３の相対位置で、掃除機本体１０に尾錠１４が設けられており、前記尾錠１４は、スプリング１５によって、前後方向に摺動するように構成されている。掃除機本体１０に構成された尾錠１４を後方に移動することより、尾錠１４の先端部が、集塵部１２の凹み部１３から外れ、集塵部１２は掃除機本体１０と着脱自在に構成されている。掃除機本体１０の前方下面には移動用キャスター１６が枢支されており、掃除機本体１０の後方両側面には、一対の移動用車輪１７が回転自在に備えられている。
【００２６】
図８に示すように、集塵部１２内には、微細な塵埃捕集用のメインフィルター１８と、メインフィルター１８に回転自在に取付けられた、粗い塵埃を捕集するための略円錐形状でメッシュ部１９を有するプレフィルター２０とからなるフィルター部２１と、前記掃除機本体１０間を密閉するパッキン３２を有している。集塵部１２の略上部前方には、集塵部１２の円周空間の内壁面に沿う方向で、空気を前記集塵部１２内に流入する開口部２３を備えた吸気部２４が備えられている。また、前記集塵部１２の上方部の外郭は、掃除機本体１０の外郭を形成するごとく露出している。なお、本実施例においては、前記集塵部１２の上方部の外郭が、掃除機本体１０の外郭を形成するごとく露出しているが、掃除機本体１０に備え付けられれば他の部分が露出していてもかまわない。なお、前記吸気部２４は、掃除機本体１０の外郭を形成するごとく露出している部分に設けられている。
【００２７】
上記構成において動作、作用を説明する。
【００２８】
図６において、集塵部１２を掃除機本体１０から外し、塵埃を外部に捨てる際、塵埃は重力により下方に移動する。この時、吸気部２４は、集塵部１２の略上部前方にある為、塵埃は吸気部２４からこぼれることなく使い勝手が向上する。
【００２９】
また、図４、図５において略円錐形状の集塵部１２の先端部近傍なる上部前方に、また、集塵部１２の長手方向の中心軸に対して、上方へ４０°〜７０°の角度の範囲から、集塵部１２内に吸引風が流入するように吸気部２４を設けたため、電動送風機１１を運転すると、塵埃は、集塵部１２の電動送風機１１の反吸気口１１ａ側の内壁面に接する方向に設けられた吸気部２４の吸気下流側先端の開口部２３より、集塵部１２内部へ捕集される。この際、吸気部２４は、図５に示すように、集塵部１２の内壁面の接線方向及び、電動送風機１１の吸気口１１ａ側へ開口している為、前記電動送風機１１の吸引力により前記吸気部２４より集塵部１２の内壁面に沿い電動送風機１１側に向かう旋回気流が集塵部１２内部に発生する。このため、吸気部２４から吸引された塵埃は、この回転気流に伴い集塵部１２内壁面を回転しながらフィルター部２１を通り、電動送風機１１の吸引方向へと略水平方向に吸引される。この原理により吸引された塵埃は、図４、図５の矢印に示すように集塵部１２の内壁面を回転しながら、電動送風機１１側に移動するため、その内側に位置する略円錐形状部を有する塵埃捕集用のフィルター部２１への塵埃の付着を抑えることができ、高吸込み力の維持を図る。また、塵埃は、集塵部１２内部を回転しながら、電動送風機１１側の吸引方向に蓄積されて、電動送風機１１の吸引力により集塵部１２の内壁面に押付けられた状態となり塵埃の圧縮が行われることより集塵量を増加させることができる。
【００３０】
図５、図８において、吸気部２４内部には、吸気部２４の開口部２３を開口させる弁体２５が設けられている。弁体２５には回動軸心２６が形成されており、弁体２５の回動軸心２６は、吸気部２４に形成した孔２７に係止されて、弁体２５は、図８に矢印Ａに示すように回動自在に構成されている。このことにより電動送風機１１停止時で、塵埃を外部に捨てる際、弁体２５は重力方向に傾き、吸気部２４の開口部２３を覆うこととなり、集塵部１２を傾けても塵埃が、吸気部２４からもれる事を防止する。
【００３１】
また、図３において、吸気部２４から空気を流入する開口部２３を集塵部１２の中心より高い位置に形成することより、従来のように吸気部２４を大きくすることなく簡単な構成で、塵埃廃棄時、吸気部２４から塵埃のもれを防止できる。
【００３２】
図５において、集塵部１２内部で、吸気部２４の開口部２３より接線方向に案内部であるリブ体２８が設けられている。このことより、吸気部２４から集塵部１２の内壁面に沿い電動送風機１１側に向かう旋回気流がさらに増大し、集塵部１２内部の略円錐形状部を有する塵埃捕集用のフィルター部２１への塵埃の付着をより抑え、吸込み力の低下を防止する。
【００３３】
図４、図８において、吸気部２４から吸込まれた塵埃は、粗い塵埃は略円錐形状でメッシュ部１９を有するプレフィルター２０部で蓄積され、さらに細かい塵埃はプレフィルター２０を連通し、細塵捕集用のメインフィルター１８に捕集される構成となっている。塵埃を廃棄する際で、細塵捕集用のメインフィルター１８に蓄積された塵埃は、プレフィルター２０の先端部２９に形成された開口３０から排出される。電動送風機１１の運転時には、開口３０から塵埃が侵入していることを防止し集塵部１２の前方より形成された凹リブ３１により前記プレフィルター２０の開口３０を塞ぐ構成となっている。このことより、廉価な構成で部品点数を増やすことなく、プレフィルター２０の開口３０からの塵埃侵入を防ぎ、結果的にメインフィルター１８の塵埃詰まりを抑制し、集塵性能を向上させる。また、プレフィルター２０の開口３０と、集塵部１２より形成された凹リブ３１との間に、エアータイト用のシール体であるパッキン体３２を設けることより、確実に、プレフィルター２０の開口３０より通る塵埃が、メインフィルター１８に行くことを防止し、集塵性能の低下を防止することができる。
【００３４】
（実施例２）
以下、本発明の第２の実施例について、図９、図１０を用いて説明する。
【００３５】
図９は掃除機本体の要部側面図である。図１０は掃除機本体の要部断面図である。本実施例２は、実施例１から接続パイプまわりを詳細に表したものである。
なお、実施例１と同符号のものは同一構造を有し、その説明は省略する。
【００３６】
図３、図９、図１０において、集塵部１２に連通し、塵埃を吸引するホース３３の一端には、略Ｌ字状の接続パイプ３４が設けられており、前記接続パイプ３４には、左右一対の尾錠体３５が形成されており、この尾錠体３５はバネ体３６によって摺動自在に構成されている。
【００３７】
集塵部１２に形成された吸気部２４の上部には開口されたホース差込口３７が形成されており、ホース差込口３７内の外周リブ３８に、接続パイプ３４に形成された尾錠体３５の先端凸部３９が引っ掛り、吸気部２４と接続パイプ３４が着脱、及び、回動自在に設けられている。
【００３８】
上記構成において動作、作用を説明する。
【００３９】
図９において、ホース３３と連通する接続パイプ３４は、直接集塵部１２内に連通し、吸気部２４内を複雑にすることなく通路圧損を低減し、性能低下を抑制する。また、廉価な構成で接続パイプ３４と吸気部２４の接続が可能とすることができる。
【００４０】
また、図９、１０において、電動送風機１１の動作時で、ホース３３及び接続パイプ３４を回動させたり、上下に振ったりすることにより、ホース３３及び接続パイプ３４を通る吸引風が左右等に偏った吸引風が発生する。この原理により、接続パイプ３４を回動させることより、図９の矢印で示すように、さまざまな方向から吸引風が吹き込まれ、略円錐形状でメッシュ部１９を有するプレフィルター２０にもさまざまな方向から吸引風が当たり、プレフィルター２０のメッシュ部１９の表面に蓄積された塵埃を吹飛ばし、プレフィルター２０への塵埃の付着を抑えることができ、結果的に吸込み力の低下を抑制する。
【００４１】
（実施例３）
以下、本発明の第３の実施例について、図１１〜図１３を用いて説明する。
【００４２】
図１１は掃除機本体を持ち上げた時の動作図である。図１２は掃除機本体の要部断面側面図。図１３は掃除機本体の底面図である。本実施例３は、実施例１からアタッチメントの収納に関して詳細に表したものである。なお、実施例１と同符号のものは同一構造を有し、その説明は省略する。
【００４３】
図３、図１１、図１２において、電動送風機１１に前方には、電動送風機室４０と集塵部１２との間を分割する格子形状を有した連通口４１を形成した仕切壁４２が形成されている。この仕切壁４２の下方で、掃除機本体１０底部に本体持ち運び用の略コ字状の凹部４３が形成されている。
【００４４】
上記構成において動作、作用を説明する。
【００４５】
図１１のように、従来無駄だったスペースを活用し、掃除機本体１０の外形寸法を大きくすることなく、本体持ち運び用の略コ字状の凹部４３にて掃除機本体１０を、持運ぶことが可能となる。また、本体持ち運び用の略コ字状の凹部４３は、重量物である電動送風機１１の近傍にある為、掃除機本体１０の振れに対して、手に加わる負担が軽減できる。
【００４６】
図１２、図１３において、掃除機本体１０底部で本体持ち運び用の略コ字状の凹部４３に、隙間ノズル４４等が挿入されている。この隙間ノズル４４等は、略コ字状の凹部４３の内部に形成された凸リブ４５によって圧入で係止されており、隙間ノズル４４等は着脱自在に構成されている。
【００４７】
このことにより、掃除機本体１０に前記隙間ノズル４４等の付属品を収納させる無駄なスペースを形成することなく、略コ字状の凹部４３を有効活用し、外観に違和感なく、隙間ノズル４４等の付属品を収納させることができる。
【００４８】
また、図１２において、掃除機本体１０底部で、略コ字状の凹部４３に、隙間ノズル４４等の付属品を係止している時、隙間ノズル４４等の側外面４６は、掃除機本体１０底部の外面４７と同一表面内に構成されている。このことより、隙間ノズル４４等の付属品は、掃除機本体１０底部から突出することなく、掃除機本体１０の走行中でも隙間ノズル４４等の付属品が、床面にある凹凸に当たって傷付けたり、外れたりすることを防止し、また、外観美を損なわせることがなくなる。
【００４９】
【発明の効果】
以上説明したように本発明によれば、集塵部を掃除機本体から取り外したときの集塵部からの塵埃こぼれを防止するとともに、集塵性能を向上させた電気掃除機を提供できる。
【図面の簡単な説明】
【図１】本発明の第１の実施例における掃除機本体の平面図
【図２】同掃除機本体の側面図
【図３】同掃除機本体の側断面図
【図４】同掃除機本体の吸気部の部分拡大図
【図５】同掃除機本体の吸気部の局部断面図
【図６】同掃除機本体から集塵部を取り外した時の動作図
【図７】同掃除機本体のフィルター部の部分断面図
【図８】同掃除機本体の集塵部の側断面図
【図９】本発明の第２の実施例における掃除機本体の要部側面図
【図１０】同掃除機本体の要部断面図
【図１１】本発明の第３の実施例における掃除機本体を持上げた時の動作図
【図１２】同掃除機本体の要部側断面図
【図１３】同掃除機本体の底面図
【図１４】従来の電気掃除機の側断面図
【符号の説明】
１０  掃除機本体
１１  電動送風機
１２  集塵部
１８  メインフィルター
１９  メッシュ部
２０  プレフィルター
２１  フィルター部
２３  開口部
２４  吸気部
２５  弁体
２８  リブ体
２９  先端部
３３  ホース
３４  接続パイプ
【図１】
2004248896.tif 000003
【図２】
2004248896.tif 000004
【図３】
2004248896.tif 000005
【図４】
2004248896.tif 000006
【図５】
2004248896.tif 000007
【図６】
2004248896.tif 000008
【図７】
2004248896.tif 000009
【図８】
2004248896.tif 000010
【図９】
2004248896.tif 000011
【図１０】
2004248896.tif 000012
【図１１】
2004248896.tif 000013
【図１２】
2004248896.tif 000014
【図１３】
2004248896.tif 000015
【図１４】
2004248896.tif 000016